(57)【要約】      （修正有）【課題】高温の場所で着用するのに適するように、充分な通気性を有し、多量の汗にも対応できるように吸水・速乾性を有し、しかも素肌に直接着用しても肌が透けて見えないような上衣を提供する。【解決手段】後身頃２にヨーク３のある上衣であって、ヨークより下方の後身頃において脇部分２２以外の主部分２１がメッシュ生地であり、袖の脇下部分４２がメッシュ生地であり、前身頃、後身頃２のヨーク３、後身頃の脇部分２２および袖の主部分４１が吸水・速乾性を有する生地からなり、メッシュ生地において生地の表面と裏面との間を貫通する透孔の直径が０．５ｍｍ以下である。【選択図】図２
0003168239.tif 000002
【実用新案登録請求の範囲】
【請求項１】
後身頃にヨークのある上衣であって、該ヨークより下方の後身頃において脇部分以外の主部分がメッシュ生地であり、袖の脇下部分がメッシュ生地であり、前身頃、後身頃のヨーク、後身頃の脇部分および袖の主部分が吸水・速乾性を有する生地からなり、前記メッシュ生地において生地の表面と裏面との間を貫通する透孔の直径が０．５ｍｍ以下であることを特徴とする上衣。
【請求項２】
前記吸水・速乾性を有する生地は導電性糸条または制電性糸条が織込まれており、制電性を有することを特徴とする請求項１記載の上衣。
【請求項３】
前記吸水・速乾性を有する生地が吸放湿性を有することを特徴とする請求項１または請求項２記載の上衣。
【考案の詳細な説明】
【技術分野】
【０００１】
本考案は上衣に関し、特に、高温の場所で作業する者が着用するのに適した作業着に関するものである。
【背景技術】
【０００２】
従来から作業時の蒸れやべたつきを防止するために換気性を高める工夫が幾つも提案されている。例えば、特許第３３９８５３６号公報（特許文献１）によれば、後身頃の上部に後身頃の左端から右端に至る通気口と、後身頃の左右に袖ぐりから下方中央より斜めに伸びる通気口と、脇の下部分に通気口とがそれぞれメッシュ状布帛を用いて設けられ、前記左端から右端に至る通気口および前記斜めに伸びる通気口にはそれぞれ覆い布が取付けられている上衣が開示されている。
【先行技術文献】
【特許文献】
【０００３】
【特許文献１】特許第３３９８５３６号公報
【考案の概要】
【考案が解決しようとする課題】
【０００４】
特許文献１による上衣はメッシュ状布帛が覆い布により隠されるので、ファッション性には優れている。しかし、高温の場所、特に屋内で作業する場合は、風が吹かないので、特許文献１の上衣等では通気性が不十分であり、また、多量に汗をかくと上衣が濡れた状態となってしまうという問題がある。
【０００５】
本考案は、高温の場所で着用するのに適するように、充分な通気性を有し、多量の汗にも対応できるように吸水・速乾性を有し、しかも素肌に直接着用しても肌が透けて見えないような上衣を提供することを目的とする。
【課題を解決するための手段】
【０００６】
本考案は、後身頃にヨークのある上衣であって、該ヨークより下方の後身頃において脇部分以外の主部分がメッシュ生地であり、袖の脇下部分がメッシュ生地であり、前身頃、後身頃のヨーク、後身頃の脇部分および袖の主部分が吸水・速乾性を有する生地からなり、前記メッシュ生地において生地の表面と裏面との間を貫通する透孔の直径が０．５ｍｍ以下であることを特徴とする上衣により前記目的を達成した。
【０００７】
本考案の上衣においては、前記吸水・速乾性を有する生地は導電性糸条または制電性糸条が織込まれており、制電性を有することが好ましい。また、前記吸水・速乾性を有する生地が吸放湿性を有することが好ましい。
【考案の効果】
【０００８】
本考案によれば、上衣の後身頃においてヨークより下方部分で脇部分以外の部分全体をメッシュ生地としている。背中は汗をかきやすいが、本考案の上衣では、広い範囲がメッシュ生地であるので、通気性が極めて良好である。また、汗をかきやすい腋の下の箇所も、袖の脇下部分をメッシュ生地としているので、通気性がよい。更に、メッシュ生地以外の部分は吸水・速乾性を有する生地としているので、汗をかいても、汗を直ちに吸水し、直ぐに乾燥した状態となる。
【０００９】
このため、本考案の上衣を着用すれば高温の屋内でも快適に作業することができる。
【００１０】
本考案によれば、メッシュ生地における透孔、すなわち生地の表面と裏面との間を貫通する孔、の直径が０．５ｍｍ以下と極めて小さいので、本考案の上衣を直接素肌に着用しても肌が透けて見えることがなく、従って、本考案の上衣はだらしない感じを与えず、ユニフォームとして着用するのに適したきちんとした外観の上衣である。
【００１１】
吸水・速乾性を有する生地が吸放湿性を有する生地であると、だらだらと流れ落ちるような目に見える汗をかかなくても、自然と発汗している汗を吸湿し、放湿するので、より快適に上衣を着用することができる。
【００１２】
また、吸水・速乾性を有する生地に導電性糸条または制電性糸条が織込まれていると、生地が制電性を有することになるので、静電気の発生しやすい冬場や場所でも快適に着用することができる。
【００１３】
本考案の上衣では、後身頃の主部分および袖の脇下部分をメッシュ生地としているので、伸縮性があり、腕の上げ下ろしなど身体を動かし易く、作業し易い。そして、他の部分は通常の生地であるので、きちんとした外観である。
【図面の簡単な説明】
【００１４】
【図１】本考案の上衣の一実施例の正面図である。
【図２】図１に示した上衣の背面図である。
【考案を実施するための形態】
【００１５】
以下、図面に示した実施例に基いて本考案を詳細に説明する。
【００１６】
図１および図２は本考案の上衣１０の一実施例であり、衿付きのシャツタイプのものである。この実施例の上衣は前身頃１が左右に分かれた前開きであり、前開きはスナップボタン（図示せず）により開閉される。上衣１０の肩部には前身頃１と後身頃２にそれぞれヨーク３が設けられている。
【００１７】
前身頃１においては、ヨーク３の直ぐ下方にフラップ付きの胸ポケットが左右に設けられている。この胸ポケットは身頃生地にポケット口（図示せず）が設けられ、ポケット口はフラップで覆われ、ポケットの袋布は上衣の内側に設けられている。右前身頃側のフラップ５１の上端縁は全部が身頃生地に縫着されるが、左前身頃側のフラップ５２の上端縁は約３ｃｍ程度の部分５２ａを残して身頃生地に縫着される。縫着されなかった部分５２ａは筆記具等をポケットに差し込むための穴となる。
【００１８】
後身頃２のヨーク３より下方の部分で、脇部分２２を除く主部分２１はメッシュ生地である。メッシュ生地の部分は図１および図２において斜線を施して示した。このメッシュ生地において生地の表面と裏面との間を貫通する透孔の直径が０．５ｍｍ以下、好ましくは０．２ｍｍである。透孔が大きいと、そこを透かして着用者の肌が見えたりするが、本考案のように透孔が小さいと、透孔から着用者の肌が見えない。メッシュ生地は編物で、透孔はタック編み、移し目、浮き編み等を用いて形成でき、一重編みよりも両面編みの方が透け難いので好ましい。例えば、アイレット編み、マイクロメッシュ編み、ハニコーム編み（蜂巣編み）などを利用することができる。
【００１９】
袖４は脇下部分４２が後身頃２の主部分２１と同じくメッシュ生地であり、後袖側ではヨーク３より下方の袖の脇下部分がメッシュ生地となっている。
【００２０】
後身頃の主部分２１および袖の脇下部分４２以外部分、すなわち前身頃１、後身頃２のヨーク３、後身頃２の脇部分２２および袖４の主部分４１は吸水・速乾性を有する生地からなる。この吸水・速乾性を有する生地が吸放湿性を有することが好ましい。このような生地としては、例えば、旭化成せんい株式会社から商品名「モイステックスクール」で販売されているものが、清涼感もあり、好適に採用することができる。
【００２１】
更に、吸水・速乾性を有する生地に導電性糸条または制電性糸条を織込むことにより、制電性をもたせることが可能である。導電性糸条または制電性糸条は２．５４ｃｍ当たり少なくとも１〜２本織込むことが好ましい。
【符号の説明】
【００２２】
１  前身頃
２  後身頃
２１  後身頃の主部分
２２  後身頃の脇部分
３  ヨーク
４  袖
４１  袖の主部分
４２  脇下部分
【図１】
0003168239.tif 000003
【図２】
0003168239.tif 000004